(57)【要約】【課題】従来の放送受信装置は、番組情報の取得を禁止する時刻設定がなされていなかった。【解決手段】この発明の放送受信装置は、所定時刻における番組情報取得を禁止するための番組情報取得禁止時刻が設定される番組情報取得禁止時刻設定手段と、番組情報取得禁止時刻設定手段に設定された番組情報取得禁止時刻を避けて、放送受信手段および番組情報抽出手段、番組情報保存手段に対して電源を供給する電源供給手段を備えるように構成している。【選択図】  図１
2004172791.tif 000002
【特許請求の範囲】
【請求項１】
放送を受信し、受信された放送から番組情報を取得する放送受信装置において、
放送を受信する放送受信手段と、
前記受信された放送から番組情報を抽出する番組情報抽出手段と、
前記抽出された番組情報を保存する番組情報保存手段と、
所定時刻における番組情報取得を禁止するための番組情報取得禁止時刻が設定される番組情報取得禁止時刻設定手段と、
前記番組情報取得禁止時刻設定手段に設定された番組情報取得禁止時刻を避けて、前記放送受信手段および前記番組情報抽出手段、前記番組情報保存手段に対して電源を供給する電源供給手段を備えることを特徴とする放送受信装置。
【請求項２】
放送を受信し、受信された放送から番組情報を取得する放送受信装置において、
放送を受信する放送受信手段と、
前記受信された放送から番組情報を抽出する番組情報抽出手段と、
前記抽出された番組情報を保存する番組情報保存手段と、
予め設定された番組情報取得時刻を取得する番組情報取得時刻取得手段と、
所定時刻における番組情報取得を禁止するための番組情報取得禁止時刻が設定される番組情報取得禁止時刻設定手段と、
前記取得された番組情報取得時刻と前記設定された番組情報取得禁止時刻を比較し、両者の重複有無を検出する重複検出手段と、
前記取得された番組情報取得時刻と前記設定された番組情報取得禁止時刻に重複がある場合は、前記番組情報取得禁止時刻設定手段に設定された番組情報取得禁止時刻を避けて、前記放送受信手段および前記番組情報抽出手段、前記番組情報保存手段に対して電源を供給する電源供給手段を備えることを特徴とする放送受信装置。
【請求項３】
前記番組情報取得禁止時刻設定手段は番組情報取得禁止の開始時刻と番組情報取得禁止の期間が設定されることを特徴とする請求項１または２に記載の放送受信装置。
【請求項４】
前記番組情報取得禁止の開始時刻は前記予め設定された番組情報取得時刻によらず自由に設定可能に設定されることを特徴とする請求項３に記載の放送受信装置。
【請求項５】
前記番組情報取得禁止の期間は２４時間を上限とすることを特徴とする請求項４に記載の放送受信装置。
【請求項６】
放送を受信するステップと、
前記受信された放送から番組情報を抽出するステップと、
前記抽出された番組情報を保存するステップと、
所定時刻における番組情報取得を禁止するための番組情報取得禁止時刻が設定されるステップと、
前記番組情報取得禁止時刻設定手段に設定された番組情報取得禁止時刻を避けて、番組情報の抽出を行うステップを備えることを特徴とする放送受信方法。
【請求項７】
放送を受信するステップと、
前記受信された放送から番組情報を抽出するステップと、
前記抽出された番組情報を保存するステップと、
予め設定された番組情報取得時刻を取得するステップと、
所定時刻における番組情報取得を禁止するための番組情報取得禁止時刻が設定されるステップと、
前記取得された番組情報取得時刻と前記設定された番組情報取得禁止時刻を比較し、両者の重複有無を検出するステップと、
前記取得された番組情報取得時刻と前記設定された番組情報取得禁止時刻に重複がある場合は、前記番組情報取得禁止時刻設定手段に設定された番組情報取得禁止時刻を避けて、番組情報の抽出を行うステップを備えることを特徴とする放送受信方法。
【発明の詳細な説明】
【０００１】
【発明の属する技術分野】
この発明は放送を受信する放送受信装置に関し、特に受信された放送から番組情報を取得する放送受信装置に関する。
【０００２】
【従来の技術】
従来の受信された放送から番組情報を取得する技術は、番組情報が送信されるタイミングに合わせてタイマーをセットし、セットされたタイミングで番組情報を取得している。（例えば特許文献１）。
【０００３】
また、従来の受信された放送から番組情報を取得する技術は、放送で送信される番組情報を周期間隔で監視している。（例えば特許文献２）。
【０００４】
【特許文献１】
特開平１１−９８４８０号公報（第４−１０頁、図１）
【特許文献２】
特開２００１−１９７３９４号公報（第７頁、図１）
【０００５】
【発明が解決しようとする課題】
上記特許文献１および特許文献２の技術は、番組情報の取得を禁止する時刻を設定することはできなかった。
【０００６】
【課題を解決するための手段】
この発明に係る放送受信装置は、放送を受信する放送受信手段と、前記受信された放送から番組情報を抽出する番組情報抽出手段と、前記抽出された番組情報を保存する番組情報保存手段と、所定時刻における番組情報取得を禁止するための番組情報取得禁止時刻が設定される番組情報取得禁止時刻設定手段と、  前記番組情報取得禁止時刻設定手段に設定された番組情報取得禁止時刻を避けて、前記放送受信手段および前記番組情報抽出手段、前記番組情報保存手段に対して電源を供給する電源供給手段を備えるように構成している。
【０００７】
また、この発明に係る放送受信方法は、放送を受信するステップと、前記受信された放送から番組情報を抽出するステップと、前記抽出された番組情報を保存するステップと、所定時刻における番組情報取得を禁止するための番組情報取得禁止時刻が設定されるステップと、前記番組情報取得禁止時刻設定手段に設定された番組情報取得禁止時刻を避けて、番組情報の抽出を行うステップを備えるように構成している。
【０００８】
【発明の実施の形態】
以下、図面を参照してこの発明に係る実施の形態を説明する。
【０００９】
図１はこの発明の実施の形態に係る番組視聴時における電源制御のようすを説明するブロック図である。
【００１０】
符号１１は放送局から放送によって送信された放送波を受信するアンテナ、符号１２は受信された放送波から所望の放送局の放送を選局受信するチューナ、符号１３はチューナ１２で受信された放送をデコードするデコーダ、符号１５は抽出された番組情報（ＳＩ情報）を保存するＥＰＲＯＭ等の不揮発性メモリ（ＮＶＲＡＭ）、符号１４はＣＰＵ（マイコン）、符号１６はタイマー、符号１７は電源制御部である。符号１８は映像を表示する映像表示装置（ＣＲＴ）、符号２０はチューナ１２、デコーダ１３、ＣＰＵ１４、不揮発性メモリ１５等を含む番組情報取得部、符号２１は放送受信装置である。
【００１１】
放送局（図示せず）から番組と共に番組情報（ＳＩ（Ｓｙｓｔｅｍ  Ｉｎｆｏｒｍａｔｉｏｎ）情報）がデジタル放送の形態で送信され、アンテナ１１で受信される。
【００１２】
アンテナ１１で受信されたデジタル放送の放送波はチューナ１２へ送信される。チューナ１２では所望の放送局の放送が選局受信され、デコーダ１３へ例えばＭＰＥＧ２の形態で圧縮されたデジタル信号が出力される。デコーダ１３ではチューナ１２から出力されたＭＰＥＧ２圧縮されたデジタル信号をデコードし、アナログ信号の形態の映像信号に変換して出力する。また、デコーダ１３ではチューナ１２から出力されたデジタル信号から番組情報（ＳＩ情報）を抽出して出力する。
【００１３】
デコーダ１３から出力された映像信号は映像表示装置（ＣＲＴ）１８へ入力され、映像が表示される。また、映像表示装置（ＣＲＴ）１８は放送受信装置２１内のキャラクタジェネレータ（図示なし）等で作成された画像が入力され、表示される。
【００１４】
デコーダ１３で抽出された番組情報（ＳＩ情報）は、不揮発性メモリ（ＮＶＲＡＭ）１５へ保存される。
【００１５】
番組情報取得部２０の処理はＣＰＵ１４によってコントロールされる。
【００１６】
タイマー１６は図示しないメモリを備えており、このメモリには放送受信装置２１に係る電源制御のプログラムが設定されている。タイマー１６はこのプログラムにしたがって電源制御部１７を制御し、放送受信装置２１や映像表示装置１８への電源供給をＯＮ／ＯＦＦ制御する。
【００１７】
ここでは、放送を受信して番組が視聴される番組視聴時における電源制御のようすを示しており、番組情報取得部２０および映像表示装置１８の両者への電源供給がＯＮ制御されている。
【００１８】
図２はこの発明の実施の形態に係る番組情報が取得される期間における電源制御のようすを説明するブロック図である。
【００１９】
尚、上記説明と同一の構成については同一の符号を付して説明を省略する。
【００２０】
ここでは、メモリに設定されたプログラムにしたがってタイマー１６が電源所部１７を制御し、番組情報を取得するために番組情報取得部２０への電源供給がＯＮ制御され、映像表示装置１８への電源供給はＯＦＦ制御されている。
【００２１】
すなわち、チューナ１２において、デジタル放送が受信される。この受信されたデジタル放送からデコーダ１３によって番組情報が抽出される。この抽出された番組情報は不揮発性メモリ（ＮＶＲＡＭ）１５へ保存される。
【００２２】
タイマー１６によって制御される電源制御部１７は、番組情報取得部２０（チューナ１２、デコーダ１３、不揮発性メモリ１５）に対する電源供給を、上記プログラムに予め設定された時刻に応じてＯＮ制御する。
【００２３】
また、この発明の実施の形態においては、放送受信装置２１へ電源が供給されている状態で、ユーザによって、タイマー１６に予め設定された時刻に対して、さらに番組情報取得を禁止する番組情報取得禁止時刻が操作設定され、上記メモリにプログラムとして記憶される。この番組情報取得禁止時刻の設定については後述する。
【００２４】
また、この発明の実施の形態においては、ＣＰＵ１４が、ユーザによって設定された番組情報取得禁止時刻の電源ＯＦＦ制御と、タイマー１６に予め設定された番組情報取得時刻の電源ＯＦＦ制御の重複有無を検出する（重複検出手段）。
【００２５】
そして、ＣＰＵ１４によって上記重複が検出されなかった場合は、予め設定された番組情報取得時刻を番組情報取得開始時刻としてタイマー１６に設定する（番組情報取得時刻設定手段）。
【００２６】
また、ＣＰＵ１４によって上記重複が検出された場合は、前記番組情報取得禁止時刻が経過した時刻を番組情報取得開始時刻としてタイマー１６に設定する（番組情報取得時刻設定手段）。
【００２７】
また、この発明の実施の形態においては、番組情報取得禁止時刻設定手段は番組情報取得禁止の開始時刻と番組情報取得禁止の期間が設定される。
【００２８】
また、この発明の実施の形態においては、番組情報取得禁止の開始時刻は予め設定された番組情報取得時刻によらず自由に設定可能に設定される。
【００２９】
また、この発明の実施の形態においては、番組情報取得禁止の期間は、１日が２４時間であることから、少なくとも毎日情報の更新がなされるように２４時間を上限とすることが望ましい。
【００３０】
このように、この発明の実施の形態においては、上記のように、ＣＰＵ１４によって算出され、タイマー１６に設定された時刻に応じて番組情報が取得される。
【００３１】
図３はこの発明の実施の形態に係る番組情報の取得が禁止される期間における電源制御のようすを説明するブロック図である。
【００３２】
尚、上記説明と同一の構成については同一の符号を付して説明を省略する。
【００３３】
ここでは、上記のように番組情報の取得が禁止される期間においては、メモリに設定されたプログラムにしたがってタイマー１６が電源制御部１７を制御し、番組情報取得部２０への電源供給をＯＦＦ制御する。また、このとき、映像表示装置１８への電源供給もＯＦＦ制御されている。
【００３４】
次にこの発明の実施の形態に係る、ユーザによる番組情報取得時刻の設定のようすを説明する。
【００３５】
図４はこの発明の実施の形態に係る、現在設定されている番組情報取得時刻の表示例を示す図である。
【００３６】
この表示例は、例えば放送受信装置２１内のキャラクタジェネレータで作成された画像が表示装置１８へ入力されて表示される。
【００３７】
ここでは、ユーザが図示しないリモコンの第１の操作ボタン等を操作すると、現在設定されている番組情報取得時刻が表示される。現在設定されている番組情報取得時刻の例としては、放送受信装置に予め設定されていた時刻でもよいし、この予め設定されていた時刻をユーザが変更した時刻でもよい。これらの情報はタイマー１６に設定されている。
【００３８】
図５はこの発明の実施の形態に係る、番組情報取得時刻設定に係る表示例を示す図である。
【００３９】
この表示例は、例えば放送受信装置２１内のキャラクタジェネレータで作成された画像が表示装置１８へ入力されて表示される。
【００４０】
ここでは、ユーザによって、図示しないリモコンの第２の操作ボタン等（上記第１の操作ボタンと兼用してもよい）が操作され、番組情報取得の禁止を開始する時刻（番組情報取得禁止開始時刻）Ｓ（ここではＡＭ  ００：００）が入力される。この番組情報取得禁止開始時刻Ｓが入力されると、図に示すように例えば、１．番組情報取得禁止開始時刻としてＡＭ  ００：００が表示される。
【００４１】
続いて、ユーザによって、リモコンの操作ボタン等が操作され、番組情報取得を禁止する期間（番組情報取得禁止期間）Ｄ（ここでは６０分）が入力される。この番組情報取得禁止期間Ｄが入力されると、図に示すように例えば、２．番組情報取得禁止期間として６０分が表示される。
【００４２】
上記のように、番組情報取得禁止開始時刻（Ｓ）および番組情報取得禁止期間（Ｄ）が入力されると図に示すように、例えば、３．番組情報取得禁止時刻（Ｓ＋Ｄ）が表示される。ここではＡＭ  ００：００〜ＡＭ０１：００が表示される。
【００４３】
また、この番組情報取得禁止時刻（Ｓ＋Ｄ）は、タイマー１６に予め設定された番組情報取得時刻との重複が判断され、４．番組情報取得禁止時刻を考慮した情報取得開始時刻が表示される。ここでは、ＡＭ  ０１：００が表示される。
【００４４】
次に、この発明の実施の形態に係る、ＣＰＵにおける番組情報取得時刻の算出のようすを説明する。
【００４５】
図６はこの発明の実施の形態に係る、番組情報取得時刻の設定のようすを説明するフローチャートである。
【００４６】
符号１０１は開始ステップである。続いて符合１０２を付したステップへ進む。
【００４７】
符合１０２は、例えば、放送から番組情報が更新される時刻（Ｕ）および番組情報の取得に要する時間（Ｔ）に関する情報が送信され、これらを用いて番組情報更新時刻（Ｕ）および番組情報取得時間（Ｔ）を算出するステップである。これら番組情報更新時刻（Ｕ）および番組情報取得時間（Ｔ）は予めタイマー１６等に記録されていてもよい。ここでは“Ｕ＋Ｄ”すなわち、時刻ＵからＴ時間経過後までが算出される。続いて符合１０３を付したステップへ進む。
【００４８】
符合１０３は、上記のようにユーザによって設定された番組情報取得禁止開始時刻（Ｓ）および番組情報取得禁止期間（Ｄ）を算出するステップである。ここでは“Ｓ＋Ｄ”すなわち、時刻ＳからＤ時間後までが算出される。続いて符合１０４を付したステップへ進む。
【００４９】
符合１０４は、“Ｕ＋Ｄ”と“Ｓ＋Ｄ”すなわち、予め設定された番組情報取得時刻の電源ＯＮ制御と番組情報取得禁止時刻の電源ＯＦＦ制御との重複有無を検出するステップである。“Ｕ＋Ｄ”と“Ｓ＋Ｄ”に時間的な重複がある場合は符号１０５を付したステップへ進む（ＹＥＳ）。“Ｕ＋Ｄ”と“Ｓ＋Ｄ”に時間的な重複がない場合は符号１０６を付したステップへ進む（ＮＯ）。
【００５０】
符合１０５は、時刻“Ｓ＋Ｄ”を番組情報取得開始時刻として算出するステップである。続いて符合１０７を付したステップへ進む。
【００５１】
符合１０６は、時刻“Ｕ”を番組情報取得開始時刻として算出するステップである。続いて符合１０７を付したステップへ進む。
【００５２】
符合１０７は、算出された時刻“Ｓ＋Ｄ”または時刻“Ｕ”を番組情報取得開始時刻としてタイマー１６に設定するステップである。続いて符合１０８を付したステップへ進む。
【００５３】
符合１０８は、タイマー１６に設定された時刻に番組情報を取得するステップである。続いて符合１０９を付したステップへ進む。
【００５４】
符合１０９は、終了ステップであり、ここでの処理は終了する。
【００５５】
このように、発明の実施の形態によれば、ＣＰＵ１４に制御された電源制御部１７（電源供給手段）は、番組情報取得禁止時刻設定手段に設定された番組情報取得禁止時刻を避けて、チューナ１２（放送受信手段）およびデコーダ１３（番組情報抽出手段）、不揮発性メモリ１５（番組情報保存手段）に対して電源を供給するように構成される。
【００５６】
上記のように構成することによって、この発明の実施の形態によれば、ユーザの望まない時間に番組情報が取得される不具合を防止することができる。
【００５７】
また、この発明の実施の形態によれば、ユーザの望まない時間に番組情報取得を目的とした放送受信装置の起動がなされることを防止することができる。
【００５８】
また、この発明の実施の形態によれば、ユーザの望まない時間に番組情報が取得されることを防止しつつ、確実に番組情報を取得することができる。
【００５９】
【発明の効果】
この発明の実施の形態によれば、ユーザの望まない時間に番組情報が取得されることを防止することができる。
【００６０】
また、この発明の実施の形態によれば、ユーザの望まない時間に番組情報取得を目的とした放送受信装置の起動がなされることを防止することができる。
【００６１】
また、この発明の実施の形態によれば、ユーザの望まない時間に番組情報が取得されることを防止しつつ、確実に番組情報を取得することができる。
【図面の簡単な説明】
【図１】この発明に係る番組視聴時の電源制御を説明するブロック図。
【図２】この発明に係る番組情報が取得される期間の電源制御を説明するブロック図。
【図３】この発明に係る番組情報の取得が禁止される期間の電源制御を説明するブロック図。
【図４】この発明に係る設定されている番組情報取得時刻の表示例を示す図。
【図５】この発明に係る、番組情報取得時刻設定に係る表示例を示す図。
【図６】この発明に係る、番組情報取得時刻設定のようすを説明するフローチャート。
【符号の説明】
１１  …  アンテナ
１２  …  チューナ
１３  …  デコーダ
１４  …  ＣＰＵ（マイコン）
１５  …  不揮発性メモリ（ＮＶＲＡＭ）
１６  …  タイマー
１７  …  電源制御部、
１８  …  映像表示装置
２０  …  番組情報取得部
２１  …  放送受信装置
【図１】
2004172791.tif 000003
【図２】
2004172791.tif 000004
【図３】
2004172791.tif 000005
【図４】
2004172791.tif 000006
【図５】
2004172791.tif 000007
【図６】
2004172791.tif 000008